(57)【特許請求の範囲】
【請求項１】
複数のサービスでそれぞれ個別に提供された利用者への利益を示す利益情報を取得する取得部と、
前記取得部によって取得された各利益情報を含むリスト情報を前記利用者に提供する提供部と
を備え、
前記提供部は、
複数の表示領域を有するリスト情報であって、表示領域毎に異なる条件を満たす利益情報が配置されたリスト情報を提供し、
前記提供部は、
前記条件を満たす利益情報として、リスト情報の遷移元に基づいて選択された利益情報が前記複数の表示領域のいずれか１つに配置されたリスト情報を提供する
ことを特徴とする提供装置。
【請求項２】
複数のサービスでそれぞれ個別に提供された利用者への利益を示す利益情報を取得する取得部と、
前記取得部によって取得された各利益情報を含むリスト情報を前記利用者に提供する提供部と
を備え、
前記提供部は、
複数の表示領域を有するリスト情報であって、表示領域毎に異なる条件を満たす利益情報が配置されたリスト情報を提供し、
前記提供部は、
前記条件を満たす利益情報として、リスト情報の遷移元に基づいて選択された利益情報が前記複数の表示領域のいずれか１つに配置されたリスト情報を提供し、
前記提供部は、
前記リスト情報の遷移元に基づいて選択された利益情報が表示される領域に、利用者による操作に応じて、前記遷移元とは異なる他のサービスで提供された利益情報が配置されるリスト情報を提供する
ことを特徴とする提供装置。
【請求項３】
複数のサービスでそれぞれ個別に提供された利用者への利益を示す利益情報を取得する取得部と、
前記取得部によって取得された各利益情報を含むリスト情報を前記利用者に提供する提供部と
を備え、
前記提供部は、
複数の表示領域を有するリスト情報であって、表示領域毎に異なる条件を満たす利益情報が配置されたリスト情報を提供し、
前記提供部は、
前記条件を満たす利益情報として、リスト情報の遷移元に基づいて選択された利益情報が前記複数の表示領域のいずれか１つに配置されたリスト情報であって、前記条件を満たす利益情報として、リスト情報の遷移元を利用しないで選択された利益情報が前記リスト情報の遷移元に基づいて選択された利益情報が配置された表示領域とは異なる他の表示領域に配置されたリスト情報を提供する
ことを特徴とする提供装置。
【請求項４】
複数のサービスでそれぞれ個別に提供された利用者への利益を示す利益情報を取得する取得部と、
前記取得部によって取得された各利益情報を含むリスト情報を前記利用者に提供する提供部と
を備え、
前記提供部は、
複数の表示領域を有するリスト情報であって、表示領域毎に異なる条件を満たす利益情報が配置されたリスト情報を提供し、
前記提供部は、
前記条件を満たす利益情報として、利用者の購買履歴、利用者の属性を示す属性情報又はリスト情報の遷移元のコンテンツに含まれる取引対象のいずれか１つと、リスト情報の遷移元とに基づいて選択された利益情報が前記複数の表示領域のいずれか１つに配置されたリスト情報を提供する
ことを特徴とする提供装置。
【請求項５】
複数のサービスでそれぞれ個別に提供された利用者への利益を示す利益情報を取得する取得部と、
前記取得部によって取得された各利益情報を含むリスト情報を前記利用者に提供する提供部と
を備え、
前記提供部は、
複数の表示領域を有するリスト情報であって、表示領域毎に異なる条件を満たす利益情報が配置されたリスト情報を提供し、
前記提供部は、
前記条件を満たす利益情報として、利用者の購買履歴、利用者の属性を示す属性情報又はリスト情報の遷移元のコンテンツに含まれる取引対象のいずれか１つと、リスト情報の遷移元とに基づいて選択された利益情報が前記複数の表示領域のいずれか１つに配置されたリスト情報を提供し、
前記提供部は、
前記購買履歴、前記属性情報又は前記遷移元のコンテンツに含まれる取引対象のいずれか１つに基づいて、前記利益情報が表示領域に表示される表示順を変動する
ことを特徴とする提供装置。
【請求項６】
複数のサービスでそれぞれ個別に提供された利用者への利益を示す利益情報を取得する取得部と、
前記取得部によって取得された各利益情報を含むリスト情報を前記利用者に提供する提供部と
を備え、
前記提供部は、
複数の表示領域を有するリスト情報であって、表示領域毎に異なる条件を満たす利益情報が配置されたリスト情報を提供し、
前記提供部は、
前記条件を満たす利益情報として、クライアントに関する情報と、リスト情報の遷移元とに基づいて選択された利益情報が前記複数の表示領域のいずれか１つに配置されたリスト情報を提供する
ことを特徴とする提供装置。
【請求項７】
リスト情報の提供要求を受付けた場合に、当該リスト情報の遷移元を特定する特定部をさらに備え、
前記提供部は、
前記特定部によって特定された遷移元に対応するサービスで提供された利益情報を含むリスト情報を提供する
ことを特徴とする請求項１〜６のいずれか１つに記載の提供装置。
【請求項８】
前記提供部は、
前記条件を満たす利益情報として、利用者に対して提供される全ての利益情報が前記複数の表示領域のいずれか１つに配置されたリスト情報を提供する
ことを特徴とする請求項１〜６のいずれか１つに記載の提供装置。
【請求項９】
前記提供部は、
前記利益情報として、クーポンを含むリスト情報を前記利用者に提供する
ことを特徴とする請求項１〜７のいずれか１つに記載の提供装置。
【請求項１０】
前記提供部は、
前記リスト情報を前記利用者によって利用される端末装置に表示させる
ことを特徴とする請求項１〜８のいずれか１つに記載の提供装置。
【請求項１１】
前記提供部は、
前記リスト情報を自装置が有する画面上に表示する
ことを特徴とする請求項１〜８のいずれか１つに記載の提供装置。
【請求項１２】
コンピュータが実行する提供方法であって、
複数のサービスでそれぞれ個別に提供された利用者への利益を示す利益情報を取得する取得工程と、
前記取得工程によって取得された各利益情報を含むリスト情報を前記利用者に提供する提供工程と
を含み、
前記提供工程は、
複数の表示領域を有するリスト情報であって、表示領域毎に異なる条件を満たす利益情報が配置されたリスト情報を提供し、
前記提供工程は、
前記条件を満たす利益情報として、リスト情報の遷移元に基づいて選択された利益情報が前記複数の表示領域のいずれか１つに配置されたリスト情報を提供する
ことを特徴とする提供方法。
【請求項１３】
複数のサービスでそれぞれ個別に提供された利用者への利益を示す利益情報を取得する取得手順と、
前記取得手順によって取得された各利益情報を含むリスト情報を前記利用者に提供する提供手順と
をコンピュータに実行させ、
前記提供手順は、
複数の表示領域を有するリスト情報であって、表示領域毎に異なる条件を満たす利益情報が配置されたリスト情報を提供し、
前記提供手順は、
前記条件を満たす利益情報として、リスト情報の遷移元に基づいて選択された利益情報が前記複数の表示領域のいずれか１つに配置されたリスト情報を提供する
ための提供プログラム。
【発明の詳細な説明】
【技術分野】
【０００１】
本発明は、提供装置、提供方法及び提供プログラムに関する。
【背景技術】
【０００２】
従来、ネットワークを介して商品又はサービスを提供する電子商取引（ＥＣ：Electronic  Commerce）サービスにて、属性やサービスの利用履歴に応じて選択された利用者に対して特典に関する情報を提供する技術が知られている。
【先行技術文献】
【特許文献】
【０００３】
【特許文献１】特許第６５８４５８４号公報
【発明の概要】
【発明が解決しようとする課題】
【０００４】
しかしながら、上記の従来技術では、利用者に対して利便性を向上させる余地がある。例えば、上記の従来技術では、属性やサービスの利用履歴に応じて、特典を受ける可能性が高い利用者を選択し、選択した利用者に特典の情報を提供しているにすぎない。このため、上記の従来技術では、所定のＥＣサービスを利用する利用者に対し、所定のＥＣサービスや他のＥＣサービス等で提供されているクーポンの情報を提供しているとは言えない。また、利用者に対し、多くのクーポンの情報を網羅的に提供した場合、利用したいと思えるクーポンを探すのは、手間がかかる。
【０００５】
本願は、上記に鑑みてなされたものであって、利用者に対して利便性を向上させることができる提供装置、提供方法及び提供プログラムを目的とする。
【課題を解決するための手段】
【０００６】
本願に係る提供装置は、複数のサービスでそれぞれ個別に提供された利用者への利益を示す利益情報を取得する取得部と、取得部によって取得された各利益情報を含むリスト情報を前記利用者に提供する提供部とを備えることを特徴とする。
【発明の効果】
【０００７】
実施形態の一態様によれば、利用者に対して利便性を向上させることができるという効果を奏する。
【図面の簡単な説明】
【０００８】
【図１】図１は、実施形態に係る提供装置が実行する出力処理の一例を示す図である。
【図２】図２は、実施形態に係るリスト情報の具体例を示す図である。
【図３】図３は、実施形態に係る提供システムの構成例を示す図である。
【図４】図４は、実施形態に係る利益情報記憶部の一例を示す図である。
【図５】図５は、実施形態に係る提供装置が実行する提供処理の流れの一例を示すフローチャートである。
【図６】図６は、提供装置の機能を実現するコンピュータの一例を示すハードウェア構成図である。
【発明を実施するための形態】
【０００９】
以下に、本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１０】
〔１．提供装置が示す提供処理の一例〕
まず、図１を用いて、提供装置１００が実行する提供処理の一例について説明する。図１は、実施形態に係る提供装置１００が実行する提供処理の一例を示す図である。図１の例では、外部装置２０が利用者Ｕ１によって利用される端末装置１１又は利用者Ｕ２によって利用される端末装置１２に対して予め各ショッピングサービスを提供している例を示す。
【００１１】
また、図１の外部装置２０は、各種サービスを提供するサーバ装置である。図１の例では、各種サービス毎に外部装置２０が配置されているものとする。以下では、各種サービスを提供する外部装置２０を特に区別することなく、外部装置２０と表記する。なお、端末装置１１又は１２は、特に区別しない場合には、端末装置１０と表記する場合がある。
【００１２】
ここで、提供装置１００は、各サービスで提供された利用者への利益を示す利益情報を取得する。そして、提供装置１００は、各利益情報を含むリスト情報を利用者に提供する。ここでいう利益情報とは、例えば、クーポンや、現金の代わりに利用できるポイント又は電子マネー等である。図１の例では、利益情報をクーポンとして説明する。
【００１３】
図１に示すように、外部装置２０は、端末装置１１に対して「ショッピングＡ」というＥＣサービスを提供する（ステップＳ１）。また、外部装置２０は、端末装置１２に対して「ショッピングＢ」というＥＣサービスを提供する（ステップＳ２）。なお、ステップＳ１及びＳ２は、上記処理の順序に限定されなくともよく、例えば、ステップＳ１及びＳ２は、同時に行われてもよい。
【００１４】
続いて、提供装置１００は、各サービスにおいて提供されるクーポンに関する情報を取得する（ステップＳ３）。ここでいうサービスとは、如何なるサービスであってもよく、例えば、インターネットショッピングや、電子商店街や、本専門のインターネットショッピングや、フリーマーケットや、オークションや、旅行又は飲食店等予約サービスや、クレジットカード契約サービスや、金融商品提供サービス等である。
【００１５】
そして、端末装置１１は、各サービスのクーポンが集約されたリスト情報の提供要求を送信する（ステップＳ４）。例えば、端末装置１１は、「ショッピングＡ」において、何かしらの取引対象を検索もしくは購入した際に表示されるコンテンツ等、「ショッピングＡ」として配信されるコンテンツに設定されたリンクであって、リスト情報のＵＲＬ（Uniform  Resource  Locator）が設定されたリンクを選択した場合に、リスト情報の提供要求を送信する。この場合、提供装置１００は、端末装置１１によって送信されたリスト情報の提供要求を受付ける。また、端末装置１２は、各サービスのクーポンが集約されたリスト情報の提供要求を送信する（ステップＳ５）。この場合、提供装置１００は、端末装置１２によって送信されたリスト情報の提供要求を受付ける。
【００１６】
続いて、提供装置１００は、端末装置１１におけるリスト情報の遷移元を特定する（ステップＳ６）。例えば、端末装置１１は、リスト情報の遷移前に、「ショッピングＡ」を表示していたものとする。この場合、提供装置１００は、所定のプログラミング言語又は所定のスクリプトによるリファラに関する情報を取得する従来技術を用いることで、リスト情報の遷移元ＴＲ１として、「ショッピングＡ」を特定する。
【００１７】
また、提供装置１００は、端末装置１２におけるリスト情報の遷移元を特定する（ステップＳ６）。例えば、端末装置１２は、リスト情報の遷移前に、「ショッピングＢ」において、何かしらの取引対象を検索もしくは購入した際に表示されるコンテンツ等、「ショッピングＢ」として配信されるコンテンツに設定されたリンクであって、リスト情報のＵＲＬが設定されたリンクを選択した場合に、リスト情報の提供要求を送信する。この場合、提供装置１００は、所定のプログラミング言語又は所定のスクリプトによるリファラに関する情報を取得する従来技術を用いることで、リスト情報の遷移元ＴＲ２として、「ショッピングＢ」を特定する。
【００１８】
そして、提供装置１００は、端末装置１１が示す遷移元ＴＲ１に基づいて、リスト情報を提供する（ステップＳ８）。例えば、提供装置１００は、端末装置１１が示す遷移元ＴＲ１が「ショッピングＡ」である場合に、遷移元ＴＲ１が「ショッピングＡ」である場合のリスト情報を提供する。
【００１９】
ここで、図２を用いて遷移元ＴＲ１が「ショッピングＡ」である場合のリスト情報の具体例について説明する。図２は、実施形態に係るリスト情報の具体例を示す図である。例えば、提供装置１００は、端末装置１１が示す遷移元ＴＲ１が「ショッピングＡ」である場合に、リスト情報Ｃ１を提供するものとする。図２の例では、リスト情報Ｃ１は、各サービスで提供されるクーポンを含む。例えば、リスト情報Ｃ１は、クーポンを表示する表示領域ＡＲ１〜ＡＲ４を有する。また、リスト情報Ｃ１は、選択欄ＳＣ１を有する。
【００２０】
ここで、表示領域ＡＲ１に表示されるクーポンは、遷移元によらず、各端末装置１０で共通で表示されるクーポンである。例えば、図２の例では、表示領域ＡＲ１に表示されるクーポンは、掃除機カテゴリーに属する商品に対して利用できる１０％  ＯＦＦのクーポンである。
【００２１】
また、表示領域ＡＲ２に表示されるクーポンは、遷移元によらず、各端末装置１０で共通で表示されるクーポンであり、「フリーマーケット」を初めて利用する利用者向けのクーポンである。例えば、図２の例では、表示領域ＡＲ２に表示されるクーポンは、「フリーマーケット」の初回購入で利用できる５０％  ＯＦＦのクーポンである。
【００２２】
また、表示領域ＡＲ３に表示されるクーポンは、遷移元によらず、各端末装置１０で共通で表示されるクーポンであり、「ショッピングＢ」で利用できるクーポンである。例えば、図２の例では、表示領域ＡＲ３に表示されるクーポンは、「ショッピングＢ」で会員登録している利用者のみ利用できる１０％  ＯＦＦのクーポンである。
【００２３】
また、選択欄ＳＣ１は、「すべて」と、「ショッピングＡ」と、「ショッピングＢ」といった項目を有する。ここで、選択欄ＳＣ１のうち、「すべて」が選択された場合に、利用者が利用できるすべてのクーポンが表示領域ＡＲ４に表示される。また、選択欄ＳＣ１のうち、「ショッピングＡ」が選択された場合に、「ショッピングＡ」で利用できるクーポンが表示領域ＡＲ４に表示される。また、選択欄ＳＣ１のうち、「ショッピングＢ」が選択された場合に、「ショッピングＢ」で利用できるクーポンが表示領域ＡＲ４に表示される。このようなリスト情報Ｃ１において、提供装置１００は、遷移元ＴＲ１が「ショッピングＡ」である場合、選択欄ＳＣ１について、遷移元に対応する「ショッピングＡ」があらかじめ選択された状態のリスト情報Ｃ１を配信し、表示させる。
【００２４】
なお、図２に示す例では、記載を省略したが、選択欄ＳＣ１には、例えば、「オークションＣ」や「トラベル」、「ブックス」というように、より多くのサービスを示す情報が配置されていてもよい。このように多くのサービスが選択肢として選択欄ＳＣ１に配置されている場合、利用者は、選択欄ＳＣ１を画面横方向にスライドさせる操作（いわゆるカルーセル操作）を行うことにより、所望するサービスを表示させ、その後、所望するサービスを選択することとなる。
【００２５】
また、表示領域ＡＲ４に表示されるクーポンは、遷移元に基づいて選択されるクーポンである。図２の例では、表示領域ＡＲ４に表示されるクーポンは、「ショッピングＡ」で利用できるクーポンと、「トラベル」といった旅行予約サービスで利用できるクーポンと、「ブックス」といった本専門のＥＣサービスで利用できるクーポンとである。
【００２６】
例えば、図２の例では、表示領域ＡＲ４に表示される「ショッピングＡ」で利用できるクーポンは、全商品を対象とした最大２０％  ＯＦＦのクーポンと、２４時間まで有効なタイムセールに関するクーポンとである。
【００２７】
また、表示領域ＡＲ４に表示される「トラベル」で利用できるクーポンは、国内旅行で利用できる最大５００００円引きのクーポンである。また、表示領域ＡＲ４に表示される「ブックス」で利用できるクーポンは、３日間、所定の本が７冊無料で閲覧できるといったクーポンである。
【００２８】
また、端末装置１０は、表示領域ＡＲ１〜ＡＲ４に表示されたクーポンのいずれか１つが利用者によって押下された場合に、クーポンの詳細な内容や、クーポンの利用に関する注意点や、クーポンの利用期限等を含むクーポンの詳細コンテンツに遷移する。また、端末装置１０は、表示領域ＡＲ１〜ＡＲ４に表示されたクーポンのいずれか１つが利用者によって押下された場合に、クーポンが利用可能な対象商品及びサービスに関するコンテンツに遷移してもよい。
【００２９】
なお、端末装置１０は、リスト情報Ｃ１が有する選択欄ＳＣ１において、利用者によって「ショッピングＢ」が選択された場合には、表示領域ＡＲ４には、遷移元である「ショッピングＡ」と異なる「ショッピングＢ」で提供されたクーポンが表示されてもよい。また、端末装置１０は、選択欄ＳＣ１において、利用者によって「すべて」が選択された場合には、表示領域ＡＲ４には、利用可能なすべてのクーポンが表示されてもよい。このように、端末装置１０は、利用者の操作に応じて、各サービスのクーポンを切り替えて表示することができる。
【００３０】
図１に戻り、説明を続ける。提供装置１００は、端末装置１２が示す遷移元ＴＲ２に基づいて、リスト情報を提供する（ステップＳ９）。例えば、提供装置１００は、端末装置１２が示す遷移元ＴＲ２が「ショッピングＢ」である場合に、遷移元ＴＲ２が「ショッピングＢ」である場合のリスト情報を提供する。
【００３１】
ここで、図２を用いて遷移元ＴＲ２が「ショッピングＢ」である場合のリスト情報の具体例について説明する。例えば、提供装置１００は、端末装置１２が示す遷移元ＴＲ２が「ショッピングＢ」である場合に、リスト情報Ｃ２を提供するものとする。図２の例では、リスト情報Ｃ２は、リスト情報Ｃ１と同様に、各サービスで提供されるクーポンを含む。例えば、リスト情報Ｃ２は、クーポンを表示する表示領域ＡＲ１〜ＡＲ３、ＡＲ５を有する。また、リスト情報Ｃ２は、選択欄ＳＣ２を有する。
【００３２】
ここで、表示領域ＡＲ１〜ＡＲ３に表示されるクーポンは、リスト情報Ｃ１と同様のクーポンである。また、図２の例では、提供装置１００は、遷移元ＴＲ２が「ショッピングＢ」である場合、選択欄ＳＣ２について、遷移元に対応する「ショッピングＢ」があらかじめ選択された状態のリスト情報Ｃ２を配信し、表示させる。
【００３３】
例えば、表示領域ＡＲ５に表示されるクーポンは、遷移元に基づいて選択されるクーポンである。図２の例では、表示領域ＡＲ５に表示されるクーポンは、「ショッピングＢ」で利用できるクーポンと、「トラベル」といった旅行予約サービスで利用できるクーポンと、「ブックス」といった本専門のＥＣサービスで利用できるクーポンとである。
【００３４】
例えば、図２の例では、表示領域ＡＲ５に表示される「ショッピングＢ」で利用できるクーポンは、全商品を対象とした最大３０％  ＯＦＦのクーポンと、１２時間まで有効なタイムセールに関するクーポンとである。
【００３５】
また、表示領域ＡＲ５に表示される「トラベル」で利用できるクーポンは、海外旅行で利用できる最大３００００円引きのクーポンである。また、表示領域ＡＲ５に表示される「ブックス」で利用できるクーポンは、５日間、所定の本が１０冊無料で閲覧できるといったクーポンである。
【００３６】
このように、提供装置１００は、端末装置１０が示す遷移元に基づいて、リスト情報を出し分ける。より具体的には、提供装置１００は、遷移元が「ショッピングＡ」である場合、「ショッピングＡ」で利用可能なクーポンが表示されたリスト情報Ｃ１を配信し、遷移元が「ショッピングＢ」である場合、「ショッピングＢ」で利用可能なクーポンが表示されたリスト情報Ｃ２を配信する。これにより、提供装置１００は、端末装置１０を利用する利用者に対して適切なリスト情報を提供することができるため、利用者に対して利便性を向上させることができる。
【００３７】
なお、図２の例では、表示領域ＡＲ１〜ＡＲ３に表示されるクーポンは、遷移元によらず、各端末装置１０で共通で表示されるクーポンであるとして説明したが、かかるクーポンは、遷移元に基づいて選択されるクーポンであってもよい。
【００３８】
従来、所定のサービスのみのクーポンを提供したとしても、他のサービスが利用者にとってより有用なクーポンを提供している場合があり、利用者に対して利益情報の利用に関する利便性を向上させる余地があった。そこで、実施形態に係る提供装置１００は、複数のサービスでそれぞれ個別に提供された利用者への利益を示す利益情報を取得し、取得された各利益情報を含むリスト情報を利用者に提供することで従来の課題を解決する。これにより、提供装置１００は、利用者が利益情報を利用する機会損失を低減することができるため、利益情報の利用に関する利便性を向上させることができる。
【００３９】
なお、提供装置１００は、リスト情報のＵＲＬを直接入力した場合や、各種ポータルサイト等、ショッピング以外のコンテンツから遷移してきた場合等、所定の遷移元からリスト情報にアクセスした場合は、遷移欄で「すべて」が選択されたリスト情報等、複数のサービスで提供されるすべてのクーポンが表示させてもよい。
【００４０】
一方で、複数のサービスで提供されるすべてのクーポンが配置されたリスト情報が提供された場合、利用者は、スライド操作や、カルーセル操作等により、遷移欄から所望するサービスを探して選択したり、複数サービスのクーポンの中から所望するクーポンを選択したりと、手間がかかる。そこで、提供装置１００は、遷移元に応じたサービスで提供されたクーポンを集約したリスト情報を初期状態から提供することで、利用者がどのようなクーポンが利用可能かを容易に認識させることができる。
【００４１】
〔２．提供システムの構成〕
図３に示すように、提供システム１は、端末装置１０と、提供装置１００とを含む。端末装置１０及び提供装置１００は、ネットワークＮを介して、有線又は無線により通信可能に接続される。なお、図３に示す提供システム１には、複数台の端末装置１０や、複数台の提供装置１００が含まれてもよい。
【００４２】
実施形態に係る端末装置１０は、ブラウザに表示されるウェブページやアプリケーション用のコンテンツ等のコンテンツにアクセスする利用者によって利用される情報処理装置である。例えば、端末装置１０は、デスクトップ型ＰＣ（Personal  Computer）や、ノート型ＰＣや、タブレット端末や、携帯電話機や、ＰＤＡ（Personal  Digital  Assistant）等である。なお、端末装置１０は、上記例に限定されなくともよく、例えば、スマートウォッチや、ウェアラブルデバイス（Wearable  Device）であってもよい。
【００４３】
実施形態に係る外部装置２０は、各種サービスを提供する情報処理装置であり、例えば、サーバ装置又はクラウドシステム等により実現される。例えば、外部装置２０は、各種サービスとして、インターネットショッピングや、電子商店街や、本専門のインターネットショッピングや、フリーマーケットや、オークションや、旅行又は飲食店等予約サービスや、クレジットカード契約サービスや、金融商品提供サービス等を提供する。
【００４４】
実施形態に係る提供装置１００は、インターネット等の所定のネットワークＮを介して、各種の装置と通信可能な情報処理装置であり、例えば、サーバ装置又はクラウドシステム等により実現される。例えば、提供装置１００は、ネットワークＮを介して、他の各種装置と通信可能に接続される。
【００４５】
〔３．提供装置の構成〕
以下、上記した提供装置１００が有する機能構成の一例について説明する。図３は、実施形態に係る提供装置１００の構成例を示す図である。図３に示すように、提供装置１００は、通信部１１０と、記憶部１２０と、制御部１３０とを有する。
【００４６】
（通信部１１０について）
通信部１１０は、例えば、ＮＩＣ（Network  Interface  Card）等によって実現される。そして、通信部１１０は、ネットワークＮと有線又は無線で接続され、端末装置１０との間で情報の送受信を行う。
【００４７】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部１２０は、利益情報記憶部１２１を有する。
【００４８】
（利益情報記憶部１２１について）
利益情報記憶部１２１は、外部装置２０から取得されたサービス毎の利益情報を記憶する。ここで、図４に、実施形態に係る利益情報記憶部１２１の一例を示す。図４に示した例では、利益情報記憶部１２１は、「利益ＩＤ（Identifier）」、「利益内容」、「提供サービス」といった項目を有する。
【００４９】
「利益ＩＤ」は、サービスにおいて提供される利用者への利益を示す利益情報を識別する識別子である。「利益内容」は、「利益ＩＤ」に対応付けられた利用者に提供される利益の内容に関する情報である。例えば、利益内容は、クーポンや、現金の代わりに利用できるポイント又は電子マネー等の内容である。例えば、利益内容は、利益がクーポンである場合に、「衣料品５０％  ＯＦＦ」といったクーポンの内容を示す。
【００５０】
「提供サービス」は、「利益ＩＤ」に対応付けられた利益を提供したサービスに関する情報である。ここで、提供サービスとは、如何なるサービスであってもよく、例えば、ＥＣサービスや、フリーマーケットや、オークションや、旅行又は飲食店等予約サービスや、クレジットカード契約サービスや、金融商品提供サービス等である。
【００５１】
例えば、図４では、利益ＩＤによって識別された「ＢＥ１」は、利益内容が「食品５０％  ＯＦＦ」であり、提供サービスが「ショッピングＡ」というＥＣサービスである。
【００５２】
（制御部１３０について）
制御部１３０は、コントローラ（Controller）であり、例えば、ＣＰＵ（Central  Processing  Unit）やＭＰＵ（Micro  Processing  Unit）等によって、提供装置１００内部の記憶装置に記憶されている各種プログラムがＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００５３】
図３に示すように、制御部１３０は、取得部１３１と、受付部１３２と、特定部１３３と、提供部１３４とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５４】
（取得部１３１について）
取得部１３１は、各種情報を取得する。具体的には、取得部１３１は、複数のサービスでそれぞれ個別に提供された利用者への利益を示す利益情報を取得する。例えば、取得部１３１は、各サービスにおいて提供されるクーポンに関する情報を外部装置２０から取得する。
【００５５】
（受付部１３２について）
受付部１３２は、各種要求を受付ける。例えば、受付部１３２は、端末装置１０が各サービスのクーポンが集約されたリスト情報の提供要求を送信した場合に、端末装置１０によって送信されたリスト情報の提供要求を受付ける。
【００５６】
（特定部１３３について）
特定部１３３は、リスト情報の提供要求を受付けた場合に、リスト情報の遷移元を特定する。例えば、図１の例では、端末装置１１は、リスト情報の遷移前に、「ショッピングＡ」を表示していたものとする。この場合、特定部１３３は、所定のプログラミング言語又は所定のスクリプトによるリファラに関する情報を取得する従来技術を用いることで、リスト情報の遷移元ＴＲ１として、「ショッピングＡ」を特定する。
【００５７】
また、端末装置１２は、リスト情報の遷移前に、「ショッピングＢ」を表示していたものとする。この場合、特定部１３３は、所定のプログラミング言語又は所定のスクリプトによるリファラに関する情報を取得する従来技術を用いることで、リスト情報の遷移元ＴＲ２として、「ショッピングＢ」を特定する。
【００５８】
（提供部１３４について）
提供部１３４は、各種情報を提供する。具体的には、提供部１３４は、取得部１３１によって取得された各利益情報を含むリスト情報を利用者に提供する。そして、提供部１３４は、リスト情報を利用者によって利用される端末装置１０に表示させる。例えば、図１及び２の例では、提供部１３４は、端末装置１１が示す遷移元ＴＲ１が「ショッピングＡ」である場合に、リスト情報Ｃ１を提供する。また、提供部１３４は、端末装置１２が示す遷移元ＴＲ２が「ショッピングＢ」である場合に、リスト情報Ｃ２を提供する。なお、提供態様は、上記例に限定されなくともよく、如何なる態様であってもよい。例えば、提供態様は、通知や、プッシュ通知や、メール等であってもよい。
【００５９】
また、提供部１３４が提供するリスト情報に含まれる表示領域に表示されるクーポンは、利用者に応じて、クーポンのデザインを変更してもよい。また、かかるクーポンは、利用者に応じて、表示領域の大きさが変動してもよい。
【００６０】
〔４．処理手順〕
次に、図５を用いて、実施形態に係る提供装置１００が実行する提供処理の手順について説明する。図５は、実施形態に係る提供装置１００が実行する提供処理の流れの一例を示すフローチャートである。
【００６１】
図５に示すように、取得部１３１は、各サービスにおいて提供される利益情報を外部装置２０から取得する（ステップＳ１０１）。そして、受付部１３２は、リスト情報の提供要求を受付ける（ステップＳ１０２）。具体的には、受付部１３２は、リスト情報の提供要求を受付けていない場合（ステップＳ１０２；Ｎｏ）、ステップＳ１０２の前まで戻る。
【００６２】
一方、特定部１３３は、受付部１３２がリスト情報の提供要求を受付けた場合（ステップＳ１０２；Ｙｅｓ）、リスト情報の遷移元を特定する（ステップＳ１０３）。そして、提供部１３４は、特定部１３３によって特定された遷移元に対応するサービスで提供された利益情報を含むリスト情報を端末装置１０に提供する（ステップＳ１０４）。
【００６３】
〔５．変形例〕
上述した提供装置１００は、上記実施形態以外にも種々の異なる形態にて実施されてよい。そこで、以下では、提供装置１００の他の実施形態について説明する。
【００６４】
〔５−１．表示領域に表示される情報〕
上記実施形態では、表示領域に表示される情報がクーポンである例を挙げて説明したが、上記例に限定されなくともよい。例えば、表示領域に表示される情報は、クーポン以外の他の利益情報であったり、所定のサービスのセールに関する情報であったり、商品又はサービスを購入した場合に還元される利益情報のキャンペーンであったり、所定の量の利益を配布するキャンペーンであったりしてもよい。
【００６５】
〔５−２．利益情報の選択（１）各種情報〕
上記実施形態では、提供装置１００が、端末装置１０が示す遷移元に基づいて、リスト情報を提供する提供処理の一例について説明したが、上記例に限定されなくともよい。例えば、提供装置１００は、利用者の購買履歴、利用者の属性を示す属性情報又はリスト情報の遷移元のコンテンツに含まれる取引対象のいずれか１つと、リスト情報の遷移元とに基づいて選択された利益情報が複数の表示領域のいずれか１つに配置されたリスト情報を提供してもよい。
【００６６】
例えば、提供装置１００は、利用者の購買履歴、利用者の属性を示す属性情報及びリスト情報の遷移元のコンテンツに含まれる取引対象に関する情報を端末装置１０から取得する。
【００６７】
ここで、利用者の購買履歴とは、所定のサービスで利用者によって購入された商品又はサービスに関する履歴情報である。また、属性情報とは、利用者の性別、年齢又は利用者によって利用される端末装置１０が示す位置情報等である。なお、属性情報は、上記例に限定されなくともよく、例えば、利用者によって閲覧されたコンテンツの閲覧履歴や、閲覧回数等を含んでもよい。
【００６８】
また、遷移元のコンテンツに含まれる取引対象とは、遷移元のコンテンツに表示された商品又はサービスである。例えば、遷移元が「ショッピングＡ」であるものとする。この場合、「ショッピングＡ」にて取扱われる商品又はサービスである。
【００６９】
そして、提供装置１００は、取得された購買履歴、属性情報又は遷移元のコンテンツに含まれる取引対象のいずれか１つと、リスト情報の遷移元とに基づいて選択された利益情報が複数の表示領域のいずれか１つに配置されたリスト情報を提供してもよい。また、提供装置１００は、取得された購買履歴、属性情報又は遷移元のコンテンツに含まれる取引対象のいずれか１つに基づいて、クーポンの表示順を変動してもよい。
【００７０】
例えば、第１クーポンが化粧品に関するクーポンであり、第２クーポンが食品に関するクーポンであるものとする。この場合、提供装置１００は、利用者の属性情報が示す性別が女性であるときに、第１クーポンを第２クーポンよりも表示順を高くしたリスト情報を提供してもよい。
【００７１】
これにより、実施形態に係る提供装置１００は、利用者の購買履歴、利用者の属性を示す属性情報又はリスト情報の遷移元のコンテンツに含まれる取引対象のいずれか１つと、リスト情報の遷移元とに基づいて選択された利益情報が複数の表示領域のいずれか１つに配置されたリスト情報を提供するため、利用者に対して利便性を向上させることができる。
【００７２】
〔５−３．利益情報の選択（２）クライアント〕
上記実施形態では、提供装置１００が、端末装置１０が示す遷移元に基づいて、リスト情報を提供する提供処理の一例について説明したが、上記例に限定されなくともよい。例えば、提供装置１００は、クライアントに関する情報と、リスト情報の遷移元とに基づいて選択された利益情報が複数の表示領域のいずれか１つに配置されたリスト情報を提供してもよい。
【００７３】
例えば、提供装置１００は、クライアントに関する情報を外部装置２０から取得する。ここでいうクライアントに関する情報とは、クライアントが取扱う商品又はサービスに関する情報や、クライアントが取扱う商品又はサービスが属するカテゴリーに関する情報等である。そして、提供装置１００は、取得されたクライアントに関する情報と、リスト情報の遷移元とに基づいて選択された利益情報が複数の表示領域のいずれか１つに配置されたリスト情報を提供してもよい。
【００７４】
これにより、実施形態に係る提供装置１００は、クライアントに関する情報と、リスト情報の遷移元とに基づいて選択された利益情報が複数の表示領域のいずれか１つに配置されたリスト情報を提供するため、利用者に対して利便性を向上させることができる。
【００７５】
〔５−４．端末装置１０側の処理〕
上記実施形態では、提供装置１００側がリスト情報を提供する提供処理を行う例について説明したが、端末装置１０側で提供処理を行ってもよい。例えば、端末装置１０は、利用者に対してリスト情報を表示してもよい。例えば、端末装置１０は、図３に示す提供装置１００の機能構成のうち、取得部１３１と、特定部１３３と、提供部１３４とを有していてもよい。また、端末装置１０は、取得部１３１、特定部１３３及び提供部１３４として、端末装置１０が有する演算装置を動作させるアプリケーションを実行してもよい。
【００７６】
〔５−５．リスト情報について〕
上記実施形態では、提供装置１００は、「ショッピングＡ」が遷移元となる利用者に対し、選択欄で「ショッピングＡ」が選択されたリスト情報Ｃ１を配信し、「ショッピングＢ」が遷移元となる利用者に対し、選択欄で「ショッピングＢ」が選択されたリスト情報Ｃ２を配信した。しかしながら、実施形態は、これに限定されるものではない。
【００７７】
例えば、提供装置１００は、「ショッピングＡ」が遷移元となる利用者に対し、選択欄で「ショッピングＢ」が選択されたリスト情報Ｃ２を配信してもよい。すなわち、提供装置１００は、遷移元とは異なるサービスで利用可能なクーポンが配置されたリスト情報を提供してもよい。また、例えば、提供装置１００は、遷移元とは異なるサービスであって、遷移元のサービスと同種類のサービスで利用可能なクーポンを提供してもよい。例えば、提供装置１００は、遷移元がオークションに関するサービスである場合、遷移元とは異なるサービスであって、オークションに関する他のサービスで利用可能なクーポンが配置されたリスト情報を配信してもよい。また、例えば、提供装置１００は、遷移元がオークションに関するサービスである場合、遷移元とは異なるサービスであって、オークション以外のサービスで利用可能なクーポンが配置されたリスト情報を配信してもよい。
【００７８】
また、提供装置１００は、遷移元となるサービスとあらかじめ対応付けられた複数のサービスで利用可能なクーポンが配置されたリスト情報を配信してもよい。例えば、提供装置１００は、遷移元となる第１サービスとは異なるサービスであって、第１サービスと対応付けられていた第２サービスおよび第３サービスで利用可能なクーポンを同一画面上に配置したリスト情報を配信してもよい。
【００７９】
また、提供装置１００は、遷移元が第１サービスである場合に、第２サービスのクーポンが配置されたリスト情報を提供する一方で、遷移元が第２サービスである場合、第１サービスのクーポンが配置されたリスト情報ではなく、第２サービスのクーポンが配置されたリスト情報を提供してもよい。このように、どの遷移元からリスト情報が要求された場合に、どのサービスのクーポンが配置されたリスト情報を提供するかについては、任意の設定が可能である。
【００８０】
なお、上記実施形態では、提供装置１００は、同一のコンテンツにおいて、遷移元となるサービスに応じて、選択欄のうち初期状態で選択されているサービスを変更することで、遷移元に応じたリスト情報を配信した。しかしながら、実施形態は、これに限定されるものではない。例えば、提供装置１００は、遷移元となるサービスに応じて、それぞれ個別のリスト情報を生成し、生成したリスト情報の配信を行ってもよい。
【００８１】
〔５−６．プログラム〕
また、上述した実施形態に係る提供装置１００は、例えば、図６に示すような構成のコンピュータ１０００によって実現される。図６は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００８２】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現される。
【００８３】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００８４】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００８５】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００８６】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００８７】
例えば、コンピュータ１０００が提供装置１００として機能する場合、コンピュータ１０００の演算装置１０３０は、一次記憶装置１０４０上にロードされたプログラムを実行することにより、制御部１３０の機能を実現する。
【００８８】
〔５−７．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００８９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００９０】
例えば、端末装置１０が提供装置１００の構成を一部有することで、端末装置１０と提供装置１００とが連動することで提供処理を行ってもよい。また、端末装置１０が提供装置１００の構成を有することで、端末装置１０が提供処理を行ってもよい。
【００９１】
また、上述してきた実施形態及び変形例は、処理内容を矛盾させない範囲で適宜組み合わせることが可能である。
【００９２】
また、上述してきた「部（section、module、unit）」は、「手段」や「回路」などに読み替えることができる。例えば、提供部は、提供手段や提供回路に読み替えることができる。
【００９３】
〔６．効果〕
上述してきたように、実施形態に係る提供装置１００は、取得部１３１と、提供部１３４とを有する。取得部１３１は、複数のサービスでそれぞれ個別に提供された利用者への利益を示す利益情報を取得する。提供部１３４は、取得部１３１によって取得された各利益情報を含むリスト情報を利用者に提供する。
【００９４】
これにより、実施形態に係る提供装置１００は、複数のサービスでそれぞれ個別に提供された各利益情報を含むリスト情報を利用者に提供するため、利用者に対して利便性を向上させることができる。
【００９５】
また、実施形態に係る提供装置１００において、リスト情報の提供要求を受付けた場合に、リスト情報の遷移元を特定する特定部１３３をさらに備え、提供部１３４は、特定部１３３によって特定された遷移元に対応するサービスで提供された利益情報を含むリスト情報を提供する。
【００９６】
これにより、実施形態に係る提供装置１００は、リスト情報の提供要求を受付けた場合に、リスト情報の遷移元に対応するサービスで提供された利益情報を含むリスト情報を提供するため、利用者に対して利便性を向上させることができる。
【００９７】
また、実施形態に係る提供装置１００において、提供部１３４は、複数の表示領域を有するリスト情報であって、表示領域毎に異なる条件を満たす利益情報が配置されたリスト情報を提供する。
【００９８】
これにより、実施形態に係る提供装置１００は、複数の表示領域を有するリスト情報であって、表示領域毎に異なる条件を満たす利益情報が配置されたリスト情報を提供するため、利用者に対して利便性を向上させることができる。
【００９９】
また、実施形態に係る提供装置１００において、提供部１３４は、条件を満たす利益情報として、リスト情報の遷移元に基づいて選択された利益情報が複数の表示領域のいずれか１つに配置されたリスト情報を提供する。
【０１００】
これにより、実施形態に係る提供装置１００は、条件を満たす利益情報として、リスト情報の遷移元に基づいて選択された利益情報が複数の表示領域のいずれか１つに配置されたリスト情報を提供するため、利用者に対して利便性を向上させることができる。
【０１０１】
また、実施形態に係る提供装置１００において、提供部１３４は、リスト情報の遷移元に基づいて選択された利益情報が表示される領域に、利用者による操作に応じて、遷移元とは異なる他のサービスで提供された利益情報が配置されるリスト情報を提供する。
【０１０２】
これにより、実施形態に係る提供装置１００は、リスト情報の遷移元に基づいて選択された利益情報が表示される領域に、利用者による操作に応じて、遷移元とは異なる他のサービスで提供された利益情報が配置されるリスト情報を提供するため、利用者に対して利便性を向上させることができる。
【０１０３】
また、実施形態に係る提供装置１００において、提供部１３４は、条件を満たす利益情報として、リスト情報の遷移元に基づいて選択された利益情報が複数の表示領域のいずれか１つに配置されたリスト情報であって、条件を満たす利益情報として、リスト情報の遷移元を利用しないで選択された利益情報がリスト情報の遷移元に基づいて選択された利益情報が配置された表示領域とは異なる他の表示領域に配置されたリスト情報を提供する。
【０１０４】
これにより、実施形態に係る提供装置１００は、条件を満たす利益情報として、リスト情報の遷移元に基づいて選択された利益情報が複数の表示領域のいずれか１つに配置されたリスト情報であって、条件を満たす利益情報として、リスト情報の遷移元を利用しないで選択された利益情報がリスト情報の遷移元に基づいて選択された利益情報が配置された表示領域とは異なる他の表示領域に配置されたリスト情報を提供するため、利用者に対して利便性を向上させることができる。
【０１０５】
また、実施形態に係る提供装置１００において、提供部１３４は、条件を満たす利益情報として、利用者の購買履歴、利用者の属性を示す属性情報又はリスト情報の遷移元のコンテンツに含まれる取引対象のいずれか１つと、リスト情報の遷移元とに基づいて選択された利益情報が複数の表示領域のいずれか１つに配置されたリスト情報を提供する。
【０１０６】
これにより、実施形態に係る提供装置１００は、条件を満たす利益情報として、利用者の購買履歴、利用者の属性を示す属性情報又はリスト情報の遷移元のコンテンツに含まれる取引対象のいずれか１つと、リスト情報の遷移元とに基づいて選択された利益情報が複数の表示領域のいずれか１つに配置されたリスト情報を提供するため、利用者に対して利便性を向上させることができる。
【０１０７】
また、実施形態に係る提供装置１００において、提供部１３４は、購買履歴、属性情報又は遷移元のコンテンツに含まれる取引対象のいずれか１つに基づいて、利益情報が表示領域に表示される表示順を変動する。
【０１０８】
これにより、実施形態に係る提供装置１００は、購買履歴、属性情報又は遷移元のコンテンツに含まれる取引対象のいずれか１つに基づいて、利益情報が表示領域に表示される表示順を変動するため、利用者に対して利便性を向上させることができる。
【０１０９】
また、実施形態に係る提供装置１００において、提供部１３４は、条件を満たす利益情報として、全利用者に対して提供される利益情報が複数の表示領域のいずれか１つに配置されたリスト情報を提供する。
【０１１０】
これにより、実施形態に係る提供装置１００は、条件を満たす利益情報として、全利用者に対して提供される利益情報が複数の表示領域のいずれか１つに配置されたリスト情報を提供するため、利用者に対して利便性を向上させることができる。
【０１１１】
また、実施形態に係る提供装置１００において、提供部１３４は、条件を満たす利益情報として、クライアントに関する情報と、リスト情報の遷移元とに基づいて選択された利益情報が複数の表示領域のいずれか１つに配置されたリスト情報を提供する。
【０１１２】
これにより、実施形態に係る提供装置１００は、条件を満たす利益情報として、クライアントに関する情報と、リスト情報の遷移元とに基づいて選択された利益情報が複数の表示領域のいずれか１つに配置されたリスト情報を提供するため、利用者に対して利便性を向上させることができる。
【０１１３】
また、実施形態に係る提供装置１００において、提供部１３４は、利益情報として、クーポンを含むリスト情報を利用者に提供する。
【０１１４】
これにより、実施形態に係る提供装置１００は、利益情報として、クーポンを含むリスト情報を利用者に提供するため、利用者に対して利便性を向上させることができる。
【０１１５】
また、実施形態に係る提供装置１００において、提供部１３４は、リスト情報を利用者によって利用される端末装置に表示させる。
【０１１６】
これにより、実施形態に係る提供装置１００は、利益情報として、リスト情報を利用者によって利用される端末装置に表示させるため、利用者に対して利便性を向上させることができる。
【０１１７】
また、実施形態に係る提供装置１００において、提供部１３４は、リスト情報を自装置が有する画面上に表示する。
【０１１８】
これにより、実施形態に係る提供装置１００は、利益情報として、リスト情報を自装置が有する画面上に表示するため、利用者に対して利便性を向上させることができる。
【０１１９】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１２０】
Ｎ  ネットワーク
１  提供システム
１０、１１、１２  端末装置
２０  外部装置
１００  提供装置
１１０  通信部
１２０  記憶部
１２１  利益情報記憶部
１３０  制御部
１３１  取得部
１３２  受付部
１３３  特定部
１３４  提供部
【要約】
【課題】利用者に対して利便性を向上させること。
【解決手段】本願に係る提供装置は、取得部と、提供部とを有する。取得部は、複数のサービスでそれぞれ個別に提供された利用者への利益を示す利益情報を取得する。提供部は、取得部によって取得された各利益情報を含むリスト情報を前記利用者に提供する。
【選択図】図１【図１】
0006959395.tif 000002
【図２】
0006959395.tif 000003
【図３】
0006959395.tif 000004
【図４】
0006959395.tif 000005
【図５】
0006959395.tif 000006
【図６】
0006959395.tif 000007